(57)【要約】【課題】  複数種類の光ディスクを読み取り可能であるとともに、その小型化を図ることができる光ディスク装置を提供すること。【解決手段】  本発明に係る光ディスク装置においては、発光源２は、赤色／赤外ユニット２１と青色ＬＤ２２とを含んでいるとともに、対物光学系３は、互いに焦点距離が異なり、かつ円周方向Ｃに並べられた第１および第２対物レンズ３１，３２を含んでおり、円周方向Ｃに沿って互いに対向して進んできた２つの光を第１および第２対物レンズ３１，３２へとそれぞれ向かわせる立ち上げミラー４をさらに備えており、赤色／赤外ユニット２１と第１対物レンズ３１との間には、対向区間Ｌ１ｂと立ち上げ区間Ｌ１ａとを含む第１光路Ｌ１が構成されている一方、青色ＬＤ２２と第２対物レンズ３２との間には、対向区間Ｌ２ｂと立ち上げ区間Ｌ２ａとを含む第２光路Ｌ２が構成されている。【選択図】  図２
2007052858.tif 000002
【特許請求の範囲】
【請求項１】
発光源と、
上記発光源から発せられた光を光ディスクの記録面に集光する対物光学系と、
を備えた光ディスク装置であって、
上記発光源および上記対物光学系は、上記光ディスクの径方向に移動自在とされた同一のシャシによって支持されており、
上記発光源は、赤色光および赤外光を発光する赤色／赤外ＬＤを具備する赤色／赤外ユニットと青色光を発光する青色ＬＤとを含んでいるとともに、
上記対物光学系は、互いに焦点距離が異なり、かつ上記光ディスクの円周方向に並べられた第１および第２対物レンズを含んでおり、
上記光ディスクに対して上記対物光学系よりも遠方に位置し、かつ上記円周方向に沿って互いに対向して進んできた２つの光を上記第１および第２対物レンズへとそれぞれ向かわせる立ち上げ光学系をさらに備えており、
上記赤色／赤外ユニットと上記第１対物レンズとの間には、上記立ち上げ光学系に向かって上記円周方向に沿って延びる部分と、上記立ち上げ光学系から上記第１対物レンズへと延びる部分とを含む第１光路が構成されている一方、
上記青色ＬＤと上記第２対物レンズとの間には、上記第１光路とは反対側から上記立ち上げ光学系に向かって上記円周方向に沿って延びる部分と、上記立ち上げ光学系から上記第２対物レンズへと延びる部分とを含む第２光路が構成されていることを特徴とする、光ディスク装置。
【請求項２】
上記第２光路は、上記立ち上げ光学系に向かって延びる部分に対して平行に配置された部分と、
上記立ち上げ光学系に向かって延びる部分とこれに平行に配置された部分とを繋ぐ部分と、をさらに含んでいる、請求項１に記載の光ディスク装置。
【請求項３】
上記第２光路のうち、上記立ち上げ光学系に向かって延びる部分には、上記円周方向に沿って往復動自在であるコリメートレンズが設けられている、請求項１または２に記載の光ディスク装置。
【請求項４】
上記第１対物レンズは、上記光ディスクの回転中心から上記シャシの移動方向に延びる半径上に配置されており、
上記第２対物レンズは、上記半径に対して偏心した位置に配置されている、請求項１ないし３のいずれかに記載の光ディスク装置。
【請求項５】
上記光ディスク装置は、乗用車などに搭載される車載用光ディスク装置である、請求項１ないし４のいずれかに記載の光ディスク装置。
【発明の詳細な説明】
【技術分野】
【０００１】
本発明は、複数の異なる波長の光を用いて複数種類の光ディスクに記録された情報を読み取る光ディスク装置であって、特に、乗用車などに搭載される車載用光ディスク装置に関する。
【背景技術】
【０００２】
光ディスク装置は、光ディスクに記録された情報を読み取ることにより、音楽・映像を楽しむための装置として広く普及している。近年の光ディスク装置は、ＣＤ、ＤＶＤ、ＢＤ（ブルーレイディスク）などの複数種類の光ディスクの読み取りが可能に構成されているものが多い。図５は、そのような光ディスク装置の一例を示している（特許文献１参照）。同図に示す光ディスク装置Ｘは、ＣＤ、ＤＶＤ、およびＢＤという３種類の光ディスクに記録された情報を読み取り可能に構成されており、上記光ディスクの径方向に移動自在とされたシャシと、このシャシに搭載された赤色ユニット９１Ａ、赤外ユニット９１Ｂ、青色ユニット９１Ｃおよび対物光学系９２とを備えている。
【０００３】
赤色ユニット９１Ａおよび赤外ユニット９１Ｂは、ホログラムユニットであり、ＤＶＤ読み取り用の赤色光またはＣＤ読み取り用の赤外光を出射および受光可能である。青色ユニット９１Ｃは、ＢＤ読み取り用の青色光を出射および受光可能に構成されており、青色ＬＤ９１Ｃａ、受光素子９１Ｃｂ、モニタ用受光素子９１Ｃｃ、ビームスプリッタ９１Ｃｄを備えている。対物光学系９２は、スピンドルＳｐにより回転支持される上記光ディスクの記録面に対向する光学系であり、上記光ディスクの径方向に並べられた２つの対物レンズ９２ａ，９２ｂを備えている。
【０００４】
赤色光ユニット９１Ａまたは赤外ユニット９１Ｂから出射された赤色光または赤外光は、コリメートレンズ９３Ａ，９３Ｂにより平行光とされた後に、ビームスプリッタ９４を経て対物レンズ９２ａへと向かう。これらの赤色光または赤外光は、対物レンズ９２ａにより上記光ディスクの記録面上に集光される。上記光ディスクの上記記録面により反射された赤色光または赤外光は、ビームスプリッタ９４により適宜光路変換がなされ、赤色ユニット９１Ａまたは赤外ユニット９１Ｂによりそれぞれ受光される。モニタ用受光素子９５は、赤色ユニット９１Ａおよび赤外ユニット９１Ｂの出力を監視するためのものである。
【０００５】
青色ＬＤ９１Ｃａから発せられた青色光は、ビームスプリッタ９１Ｃｄを透過し、コリメートレンズ９３Ｃにより平行光とされた後に対物レンズ９２ｂへと向かう。この青色光は、対物レンズ９２ｂにより上記光ディスクの記録面に集光される。その反射光は、ビームスプリッタ９１Ｃｅにより受光素子９１Ｃｂとモニタ用受光素子９１Ｃｃへと向けられる。このように、光ディスク装置Ｘによれば、ＣＤ、ＤＶＤ、およびＢＤという３種類の光ディスクを１つの装置で読み取ることができる。
【０００６】
しかしながら、光ディスク装置Ｘを乗用車に搭載する車載用として使用するには、以下のような不具合があった。すなわち、光ディスク装置Ｘにおいては、２つの対物レンズ９２ａ，９２ｂが上記光ディスクの径方向に並んでいる。また、赤外ユニット９１Ｂが上記光ディスクの径方向外方に配置されている。このため、上記シャシは、径方向寸法が比較的大きなものとなってしまう。上記光ディスクの記録面に記録された情報を読み取るには、２つの対物レンズ９２ａ，９２ｂのそれぞれを、少なくとも上記光ディスクの記録面の最内周部から最外周部までに対向させる必要がある。上記記録面の最外周部を読み取るときには、上記シャシが径方向外方へと移動させられ、その一部が上記光ディスクから大きく突出することが避けられない。したがって、光ディスク装置Ｘは、そのサイズが大きくなってしまい、乗用車に搭載するにはさらなる小型化が望まれていた。
【０００７】
【特許文献１】特開２００４−１３４０５６号公報
【発明の開示】
【発明が解決しようとする課題】
【０００８】
本発明は、上記した事情のもとで考え出されたものであって、複数種類の光ディスクを読み取り可能であるとともに、その小型化を図ることができる光ディスク装置を提供することをその課題とする。
【課題を解決するための手段】
【０００９】
上記課題を解決するため、本発明では、次の技術的手段を講じている。
【００１０】
本発明によって提供される光ディスク装置は、発光源と、上記発光源から発せられた光を光ディスクの記録面に集光する対物光学系と、を備えた光ディスク装置であって、上記発光源および上記対物光学系は、上記光ディスクの径方向に移動自在とされた同一のシャシによって支持されており、上記発光源は、赤色光および赤外光を発光する赤色／赤外ＬＤを具備する赤色／赤外ユニットと青色光を発光する青色ＬＤとを含んでいるとともに、上記対物光学系は、互いに焦点距離が異なり、かつ上記光ディスクの円周方向に並べられた第１および第２対物レンズを含んでおり、上記光ディスクに対して上記対物光学系よりも遠方に位置し、かつ上記円周方向に沿って互いに対向して進んできた２つの光を上記第１および第２対物レンズへとそれぞれ向かわせる立ち上げ光学系をさらに備えており、上記赤色／赤外ユニットと上記第１対物レンズとの間には、上記立ち上げ光学系に向かって上記円周方向に沿って延びる部分と、上記立ち上げ光学系から上記第１対物レンズへと延びる部分とを含む第１光路が構成されている一方、上記青色ＬＤと上記第２対物レンズとの間には、上記第１光路とは反対側から上記立ち上げ光学系に向かって上記円周方向に沿って延びる部分と、上記立ち上げ光学系から上記第２対物レンズへと延びる部分とを含む第２光路が構成されていることを特徴としている。
【００１１】
このような構成によれば、上記光ディスク装置の小型化を図ることができる。まず、赤色光および赤外光の双方を出射および受光可能な上記赤色／赤外ユニットを備えることにより、赤色光および赤外光それぞれに専用に発光ＬＤおよび受光素子を備える構成と比べて上記光源をコンパクトな構成とすることが可能である。また、上記第１および第２対物レンズが上記円周方向に並んだ配置とされていることにより、上記径方向におけるサイズが小さくなっている。さらに、上記第１光路と上記第２光路とが上記立ち上げミラーを挟んで上記周方向において離間しつつ対向する配置とされている。これにより、上記径方向における寸法を小さくできる。以上より、上記光ディスク装置の小型化を図ることが可能である。
【００１２】
本発明の好ましい実施の形態においては、上記第２光路は、上記立ち上げ光学系に向かって延びる部分に対して平行に配置された部分と、上記立ち上げ光学系に向かって延びる部分とこれに平行に配置された部分とを繋ぐ部分と、をさらに含んでいる。このような構成によれば、上記第２光路が比較的長いものであっても、上記周方向のサイズが不当に大きくなることを防止するのに適している。
【００１３】
本発明の好ましい実施の形態においては、上記第２光路のうち、上記立ち上げ光学系に向かって延びる部分には、上記円周方向に沿って往復動自在であるコリメートレンズが設けられている。このような構成によれば、たとえば上記光ディスクが２層の記録面を有する場合に、これらの記録面それぞれに対して適切に集光することができる。
【００１４】
本発明の好ましい実施の形態においては、上記第１対物レンズは、上記第２対物レンズよりも上記光ディスクの回転中心から上記シャシの移動方向に延びる半径に近い位置に配置されている。このような構成によれば、相対的に読み取り精度に対する要求が高い規格とされた上記光ディスクの読み取りを、上記第１対物レンズに担当させるといった合理的な構成とすることができる。
【００１５】
本発明の好ましい実施の形態においては、上記第１対物レンズは、上記光ディスクの回転中心から上記シャシの移動方向に延びる半径上に配置されており、上記第２対物レンズは、上記半径に対して偏心した位置に配置されている。このような構成によれば、上記第１対物レンズによる読み取り精度の向上に好ましい。
【００１６】
本発明の好ましい実施の形態においては、上記第２対物レンズは、上記第１対物レンズよりもその焦点距離が短い。このような構成によれば、上記第２レンズの偏心量を小さくすることができる。
【００１７】
本発明の好ましい実施の形態においては、上記立ち上げ光学系は、上記第１光路を進行してきた光を上記第１対物レンズへと反射する第１反射面と、上記第２光路を進行してきた光を上記第２対物レンズへと反射する第２反射面とを有するミラーである。このような構成によれば、上記第１および第２光路を進行してきたそれぞれの光を、適切に立ち上げることが可能である。
【００１８】
本発明の好ましい実施の形態においては、上記光ディスク装置は、乗用車などに搭載される車載用光ディスク装置である。このような構成によれば、上記乗用車内の狭小なスペースに上記光ディスク装置を設置することができる。
【００１９】
本発明の好ましい実施の形態においては、上記シャシに対して上記光ディスクの半径方向外方には、振動抑制用のダンパが設けられている。このような構成によれば、上記乗用車の走行に伴う振動が上記光ディスク装置に与えられても、上記光ディスク装置の読み取りを適切に行うことができる。また、上記光ディスク装置の大型化を防止できる。
【００２０】
本発明のその他の特徴および利点は、添付図面を参照して以下に行う詳細な説明によって、より明らかとなろう。
【発明を実施するための最良の形態】
【００２１】
以下、本発明の好ましい実施の形態につき、図面を参照して具体的に説明する。
【００２２】
図１は、本発明に係る光ディスク装置の一例を示している。本実施形態の光ディスク装置Ａは、ハウジングＨ、スピンドルＳｐ、ピックアップＰ、およびダンパＤｐを備えており、光ディスクＤに記録された情報を読み取り可能に構成されている。光ディスク装置Ａは、乗用車などに搭載される車載用であるとともに、ＣＤ、ＤＶＤ、およびＢＤの３種類の光ディスクの読み取りに対応している。
【００２３】
ハウジングＨは、たとえば樹脂製の扁平な筐体であり、スピンドルＳｐ、ピックアップＰ、およびダンパＤｐを収容しており、光ディスクＤを受容可能とされている。光ディスク装置Ａは車載用であるため、ハウジングＨとしても、薄型とされ、かつ衝撃による破損などを防止するために比較的高剛性とされている。
【００２４】
スピンドルＳｐは、光ディスクＤを所定位置に保持し、点Ｏを中心として光ディスクＤを回転させるためのものである。スピンドルＳｐには、光ディスクＤの中心孔に嵌合する回転軸が設けられている。この回転軸は、図外のモータにより回転自在とされている。
【００２５】
ダンパＤｐは、ハウジングＨ内において光ディスクＤやピックアップＰの振動を抑制するためのものである。ダンパＤｐは、ピックアップＰに対して光ディスクＤの径方向Ｒ外方、すなわちハウジングＨにおける図中右下隅部に配置されている。ダンパＤｐは、制振用オイルダンパであることが好ましく、ハウジングＨ内において図示していない他の３箇所にも配置されている。
【００２６】
ピックアップＰは、光ディスクＤに記録された情報を読み取るための記録再生部である。ピックアップＰは、スプラインねじＳｃとガイドＧとにより保持されている。スプラインねじＳｃは、モータＭに連結されている。モータＭの回転により、ピックアップＰは、径方向Ｒに往復動自在とされている。
【００２７】
図２および図３に示すように、ピックアップＰは、シャシ１、光源２、対物光学系３、立ち上げミラー４、コリメートレンズ５１，５２、および複数のミラー７１，７２，７３を備えており、これらの光学部品により第１および第２光路Ｌ１，Ｌ２が構成されている。
【００２８】
シャシ１は、光源２、対物光学系３、立ち上げミラー４、コリメートレンズ５１，５２、および複数のミラー７１，７２，７３を保持するためのものであり、たとえばアルミなどの金属製である。シャシ１の両端には、それぞれ径方向Ｒを向く孔部が設けられており、スプラインねじＳｃおよびガイドＧが貫通している。
【００２９】
光源２は、赤色／赤外ユニット２１と青色ＬＤ２２とを具備しており、光ディスクＤに記録された情報を読み取るための３波長のレーザ光を出射可能とされている。
【００３０】
赤色／赤外ユニット２１は、赤色光および赤外光という２波長の光を出射および受光可能ないわゆる２波長ホログラムユニットである。上記赤色光は、その波長が６６０ｎｍ程度であり、ＤＶＤの読み取り用である。また、上記赤外光は、その波長が７８５ｎｍ程度であり、ＣＤの読み取り用である。ホログラムユニットとは、ホログラム素子を利用することにより、発光用のＬＤ、信号処理用受光素子、ビームスプリッタの機能をたとえば小型プラスチックパッケージに集積したユニットをいう。赤色／赤外ユニット２１は、赤色光と赤外光とを発光可能なＬＤと、赤色光および赤外光を受光可能な受光素子とを有している。図３に示すように、赤色／赤外ユニット２１は、シャシ１の図中右上寄りの領域に配置されており、図中右下方向に向けて赤色光および赤外光を出射するとともに、図中右下方向から向かってきた赤色光および赤外光を受光可能である。
【００３１】
青色ＬＤ２２は、青色光を出射するためのものであり、たとえばステムに形成されたヒートシンク上にレーザチップが搭載された構成とされている。上記青色光は、その波長が４０５ｎｍ程度であり、ＢＤの読み取り用である。青色ＬＤ２２は、図３に示すようにシャシ１の図中中央下寄りに配置されており、図中左方に向けて青色光を出射可能である。また、光ディスクＤの記録面によって反射されて戻ってくる青色光を受講するために、ビームスプリッタ６２および光電子集積回路６３が備えられている。ビームスプリッタ６２は、青色ＬＤ２２から直接向かってくる青色光を透過させる一方、光ディスクＤによって反射されて戻ってきた青色光を図中上方へと反射する。光電子集積回路６３は、図２に示すようにビームスプリッタ６２の図中上方に配置されており、ビームスプリッタ６２から向かってきた青色光を受光して、その光量に応じた電気信号を出力可能とされている。
【００３２】
対物光学系３は、光ディスクＤの記録面に光源２からの光を集光し、かつ上記記録面からの反射光を光源２へと戻すためのものであり、第１および第２対物レンズ３１，３２を具備して構成されている。第１対物レンズ３１は、図４に示すように、赤色／赤外ユニット２１から出射された赤色光および赤外光をＤＶＤおよびＣＤとして構成された光ディスクＤの記録面Ｒｃ１上に集光するためのものである。一方、第２対物レンズ３２は、青色ＬＤ２２から出射された青色光をＢＤとして構成された光ディスクＤの記録面Ｒｃ２ａ，Ｒ２ｃｂ上に集光するためのものである。第１および第２対物レンズ３１，３２は、図２に示すようにシャシ１に対して図中上方に配置されており、光ディスクＤの記録面に対向している。また、図３に示すように、第１および第２対物レンズ３１，３２は、光ディスクＤの周方向Ｃにおいて並んで配置されている。特に本実施形態においては、第１対物レンズ３１は、点Ｏを通り、ピックアップＰの移動方向に延びる半径上に位置している。一方、第２対物レンズ３２は、上記半径に対して偏心している。第２対物レンズ３２は、その焦点距離が第１対物レンズ３１よりも短い。これは、ＣＤおよびＤＶＤの規格とＢＤの規格との相違と実際的な対物レンズサイズの兼ね合いとによる。
【００３３】
立ち上げミラー４は、図２に示すようにたとえば断面三角形の角柱状であり、図４に示すように第１および第２反射面４ａ，４ｂを有している。立ち上げミラー４は、たとえば樹脂製の本体に、金属めっきが施された構成とされている。第１反射面４ａは、図４における図中右方から進行してきた赤色光および赤外光を図中上方へと反射させて第１対物レンズ３１へと向かわせる。第２反射面４ｂは、図中左方から進行してきた青色光を図中上方へと反射させて第２対物レンズ３２へと向かわせる。
【００３４】
コリメートレンズ５１，５２は、赤色／赤外ユニット２１から進行してきた赤色光および赤外光と、青色ＬＤ２２から進行してきた青色光とを、それぞれ平行光とするためのものである。図３に示すようにコリメートレンズ５２は、図中左右方向に往復動可能とされている。これは、図４に示すようにＢＤとして構成された光ディスクＤにおいて２層構造とされた記録面Ｒｃ２ａ，Ｒｃ２ｂのそれぞれに青色光を集光するためである。図３に示すように、コリメートレンズ５２は、コリメートレンズ駆動機構５３により駆動される。コリメートレンズ駆動機構５３は、たとえば電動アクチュエータであり、進退動可能とされたシャフト５３ａにブラケット５３ｂが連結されている。このブラケット５３ｂによりコリメートレンズ５２が保持されている。
【００３５】
複数のミラー７１，７２，７３は、赤色／赤外ユニット２１からの赤色光および赤外光と、青色ＬＤ２２からの青色光とを、それぞれ第１および第２対物レンズ３１，３２へと向かわせるためのものである。ミラー７１は、赤色／赤外ユニット２１の図中右下方向正面に配置されており、赤色／赤外ユニット２１からの赤色光および赤外光を図中左方へと反射させる。同様に、光ディスクＤの記録面により反射されて戻ってきた赤色光および赤外光を反射させて赤色／赤外ユニット２１へと向かわせる。ミラー７２，７３は、シャシ１の図中左寄りに配置されている。ミラー７２は、青色ＬＤ２２の左方正面に位置しており、青色ＬＤ２２からの青色光を反射してミラー７３へと向かわせる。ミラー７３は、ミラー７２により反射されて向かってきた青色光を反射してコリメートレンズ５２へと向かわせる。
【００３６】
以上において説明した光学部品により、ピックアップＰには、図２および図３に示すように第１および第２光路Ｌ１，Ｌ２が構成されている。第１光路Ｌ１は、赤色／赤外ユニット２１からの赤色光および赤外光が図４に示す光ディスクＤの記録面Ｒｃ１へと到達した後に、赤色／赤外ユニット２１へと戻ってくる光路である。第１光路Ｌ１は、立ち上がり区間Ｌ１ａ、対向区間Ｌ１ｂ、および出射区間Ｌ１ｃからなる。立ち上がり区間Ｌ１ａは、図４に示す立ち上げミラー４の第１反射面４ａから第１対物レンズ３１を通して光ディスクＤの記録面Ｒｃ１へと延びている。対向区間Ｌ１ｂは、立ち上げミラー４の第１反射面４ａからコリメートレンズ５１を通してミラー７１へと周方向Ｃに沿って延びている。出射区間Ｌ１ｃは、赤色／赤外ユニット２１からミラー７１へと向かう区間である。
【００３７】
第２光路Ｌ２は、青色ＬＤ２２からの青色光が図４に示す光ディスクＤの記録面Ｒｃ２ａ，Ｒｃ２ｂへと到達した後に光電子集積回路６３へと戻ってくる光路である。第２光路Ｌ２は、立ち上がり区間Ｌ２ａ、対向区間Ｌ２ｂ、折り返し区間Ｌ２ｃ、分岐区間Ｌ２ｄ、および出射区間Ｌ２ｅからなる。立ち上がり区間Ｌ２ａは、図４に示すように立ち上げミラー４の第２反射面４ｂから第２対物レンズ３２を通して光ディスクＤの記録面Ｒｃ２ａ，Ｒｃ２ｂへと延びている。対向区間Ｌ２ｂは、立ち上げミラー４の第２反射面からコリメートレンズ５２を通してミラー７３へと周方向Ｃに沿って延びている。対向区間Ｌ２ｂは、第１光路Ｌ１の対向区間Ｌ１ｂと略同一直線上にあり、それぞれの光路を光ディスクＤへと進行する光の向きが対向している。折り返し区間Ｌ２ｃは、２つのミラー７２，７３に挟まれた区間であり、対向区間Ｌ１ｂと出射区間Ｌ１ｅとを繋いでいる。出射区間Ｌ２ｅは、青色ＬＤ２２からビームスプリッタ６２を通してミラー７２へと延びる区間であり、対向区間Ｌ２ｂと略平行である。分岐区間Ｌ２ｄは、ビームスプリッタ６２により図２における図中上方へと反射された青色光が図示しない非点収差発生素子を透過して光電子集積回路６３へと進行する区間である。
【００３８】
次に、光ディスク装置Ａの作用について説明する。
【００３９】
本実施形態によれば、光ディスク装置Ａの小型化を図ることができる。まず、赤色光および赤外光の双方を出射および受光可能な赤色／赤外ユニット２１を備えることにより、赤色光および赤外光それぞれに専用に発光ＬＤおよび受光素子を備える構成と比べて光源２をコンパクトな構成とすることが可能である。また、第１および第２対物レンズ３１，３２が円周方向Ｃに並んだ配置とされていることにより、対物光学系３としても径方向Ｒにおけるサイズが小さくなっている。第１および第２対物レンズが径方向Ｒにおいて略同じ位置にあるため、たとえば第１および第２対物レンズ３１，３２が径方向Ｒに並べられた構成と比べて、ピックアップＰを径方向Ｒに動かすべき距離を小さくすることが可能である。径方向Ｒ外方へのピックアップＰの突出量が小さくなり、ハウジングＨの小型化が可能である。さらに、第１光路Ｌ１と第２光路Ｌ２とが立ち上げミラー４を挟んで周方向Ｃにおいて離間しつつ対向する配置とされている。これにより、ピックアップＰの径方向Ｒにおける寸法が小さくなっている。以上より、本実施形態によれば、ピックアップＰの小型化や、ピックアップＰの移動距離の短縮などにより、光ディスク装置Ａの小型化を図ることが可能であり、車載用として乗用車内の狭小なスペースに設置するのに適している。
【００４０】
また、第２光路Ｌ２については、青色ＬＤ２２、往復動可能なコリメートレンズ５２、ビームスプリッタ６２、および光電子集積回路６３などの比較的他部品により構成されるため、比較的長いものとなっている。しかし、本実施形態においては、第２光路Ｌ２は、折り曲げ区間Ｌ２ｃを挟んで折り曲げられた構成となっている。これは、ピックアップＰが周方向Ｃに不当に大きくなることを防止するのに適している。
【００４１】
コリメートレンズ５２が往復動自在であることにより、図４に示す２層の記録面Ｒｃ２ａ，Ｒｃ２ｂに対して適切に集光することができる。また、コリメートレンズ５２を第２光路Ｌ２における対向区間Ｌ２ｂに配置することにより、ピックアップＰの小型化に有利である。
【００４２】
第１対物レンズ３１は、点Ｏを通り、ピックアップＰの移動方向に延びる半径上にあるため、ピックアップＰが径方向Ｒについて移動した際の読み取り精度を向上させることができる。第１対物レンズ３１は、その焦点距離が第２対物レンズ３２よりも長い。本実施形態においてはＮＡの高い第２対物レンズ３２の焦点距離が第１対物レンズ３１より短いため、第２対物レンズ３２の偏心量を比較的小さくすることができる。
【００４３】
上記非点収差発生素子は、ビームスプリッタ６２に接着されたシリンドリカルレンズである。上記シリンドリカルレンズは、ディスク中周付近からの反射パターンで円周方向に相当する方向から４５°に回転設置され、光電子集積回路６３の分割線の一つが反射パターンの円周方向と一致するように配置されている。このことにより第１対物レンズ３１の偏心よりはマージンがあるが、第２対物レンズ３２が偏心していることにより発生する読み取り精度の低下を防ぐことができる。
【００４４】
ダンパＤｐは、図１に示すようにピックアップＰに対して径方向外方に配置されている。本実施形態においては、ピックアップＰの小型化が図られており、ピックアップＰの径方向Ｒ外方への突出量も小さい。このため、ハウジングＨの図中右下寄りには、ダンパＤｐを設けるのに適したスペースを確保することができる。ダンパＤｐを備えていれば、乗用車が走行することによる振動が光ディスク装置Ａに与えられても、光ディスクＤの読み取りを適切に行うことができる。
【００４５】
本発明に係る光ディスク装置は、上述した実施形態に限定されるものではない。本発明に係る光ディスク装置の各部の具体的な構成は、種々に設計変更自在である。
【００４６】
本発明で言う立ち上げ光学系としては、上述した立ち上げミラーに限定されず、たとえば赤色光、赤外光、および青色光のそれぞれを所望の方向に適切に反射可能なビームスプリッタであってもよい。第１対物レンズが、光ディスクの回転中心を通り、かつ上述したピックアップの移動方向に延びる半径上に位置する構成に限定されず、第１対物レンズが第２対物レンズよりも上記半径に対して近い位置とされた構成であってもよい。
【００４７】
以上のまとめとして、本発明の構成およびそのバリエーションを以下に付記として列挙する。
【００４８】
（付記１）  発光源と、
上記発光源から発せられた光を光ディスクの記録面に集光する対物光学系と、
を備えた光ディスク装置であって、
上記発光源および上記対物光学系は、上記光ディスクの径方向に移動自在とされた同一のシャシによって支持されており、
上記発光源は、赤色光および赤外光を発光する赤色／赤外ＬＤを具備する赤色／赤外ユニットと青色光を発光する青色ＬＤとを含んでいるとともに、
上記対物光学系は、互いに焦点距離が異なり、かつ上記光ディスクの円周方向に並べられた第１および第２対物レンズを含んでおり、
上記光ディスクに対して上記対物光学系よりも遠方に位置し、かつ上記円周方向に沿って互いに対向して進んできた２つの光を上記第１および第２対物レンズへとそれぞれ向かわせる立ち上げ光学系をさらに備えており、
上記赤色／赤外ユニットと上記第１対物レンズとの間には、上記立ち上げ光学系に向かって上記円周方向に沿って延びる部分と、上記立ち上げ光学系から上記第１対物レンズへと延びる部分とを含む第１光路が構成されている一方、
上記青色ＬＤと上記第２対物レンズとの間には、上記第１光路とは反対側から上記立ち上げ光学系に向かって上記円周方向に沿って延びる部分と、上記立ち上げ光学系から上記第２対物レンズへと延びる部分とを含む第２光路が構成されていることを特徴とする、光ディスク装置。
（付記２）  上記第２光路は、上記立ち上げ光学系に向かって延びる部分に対して平行に配置された部分と、
上記立ち上げ光学系に向かって延びる部分とこれに平行に配置された部分とを繋ぐ部分と、をさらに含んでいる、付記１に記載の光ディスク装置。
（付記３）
上記第２光路のうち、上記立ち上げ光学系に向かって延びる部分には、上記円周方向に沿って往復動自在であるコリメートレンズが設けられている、付記１または２に記載の光ディスク装置。
（付記４）
上記第２光路には光ディスクからの反射光を上記対物レンズが配置されている面側に偏向させるための偏向光学素子を備え、上記対物レンズが配置されている面側に光検出素子を備えることを特徴とする付記１ないし３のいずれかに記載の光ディスク装置。
（付記５）
上記偏向光学素子と上記光検出素子の間に、非点の軸がディスク中周付近からの反射パターンで円周方向に相当する方向から概ね４５°になるように設置される非点収差を発生されるための光学素子を備えるとともに、上記検出素子の分割線の一つが反射パターンの円周方向と概ね一致するように配置することを特徴とする付記４に記載の光ディスク装置。
（付記６）
上記第１対物レンズは、上記第２対物レンズよりも上記光ディスクの回転中心から上記シャシの移動方向に延びる半径に近い位置に配置されている、付記１ないし３のいずれかに記載の光ディスク装置。
（付記７）
上記第１対物レンズは、上記光ディスクの回転中心から上記シャシの移動方向に延びる半径上に配置されており、
上記第２対物レンズは、上記半径に対して偏心した位置に配置されている、付記１ないし３のいずれかに記載の光ディスク装置。
（付記８）
上記第２対物レンズは、上記第１対物レンズよりもその焦点距離が短い、付記６または７に記載の光ディスク装置。
（付記９）
上記立ち上げ光学系は、上記第１光路を進行してきた光を上記第１対物レンズへと反射する第１反射面と、上記第２光路を進行してきた光を上記第２対物レンズへと反射する第２反射面とを有するミラーである、付記１ないし８のいずれかに記載の光ディスク装置。
（付記１０）
上記光ディスク装置は、乗用車などに搭載される車載用光ディスク装置である、付記１ないし９のいずれかに記載の光ディスク装置。
（付記１１）
上記シャシに対して上記光ディスクの半径方向外方には、振動抑制用のダンパが設けられている、付記１０に記載の光ディスク装置。
【図面の簡単な説明】
【００４９】
【図１】本発明に係る光ディスク装置の一例を示す要部平面図である。
【図２】本発明に係る光ディスク装置の一例を示す要部斜視図である。
【図３】本発明に係る光ディスク装置の一例を示す要部平面図である。
【図４】図３のＩＶ−ＩＶ線に沿う要部断面図である。
【図５】従来の光ディスク装置の一例を示す全体概略図である。
【符号の説明】
【００５０】
Ａ    光ディスク装置
Ｃ    周方向
Ｄ    光ディスク
Ｄｐ    ダンパ
Ｈ    ハウジング
Ｌ１    第１光路
Ｌ１ａ  立ち上がり区間
Ｌ１ｂ  対向区間
Ｌ１ｃ  出射区間
Ｌ２    第２光路
Ｌ２ａ  立ち上がり区間
Ｌ２ｂ  対向区間
Ｌ２ｃ  折り返し区間
Ｌ２ｄ  分岐区間
Ｌ２ｅ  出射区間
Ｍ    モータ
Ｐ    ピックアップ
Ｒ    径方向
Ｓｃ  スプラインネジ
Ｓｐ  スピンドル
１    シャシ
２    光源
３    対物光学系
４    立ち上げミラー（立ち上げ光学系）
２１  赤色／赤外ユニット
２２  青色ＬＤ
３１  第１対物レンズ
３２  第２対物レンズ
５１，５２    コリメートレンズ
５３  コリメートレンズ駆動機構
５３ａ  シャフト
５３ｂ  ブラケット
６２  ビームスプリッタ
６３  光電子集積回路
７１，７２，７３    ミラー
【図１】
2007052858.tif 000003
【図２】
2007052858.tif 000004
【図３】
2007052858.tif 000005
【図４】
2007052858.tif 000006
【図５】
2007052858.tif 000007